(57)【要約】【課題】扉の施開錠の状態の把握と併せて室内の設備の識別も行なうことができる表示器付き扉閉止具を提供する。【解決手段】扉Ｔを施開錠する錠部１と、扉Ｔの施開錠の状態を室外側に表示する表示器２とを有し、扉枠Ｗを貫通する連結軸を介して表示器２を錠部１と連結して取り付ける表示器付き扉閉止具において、表示器２と扉枠Ｗとの間に連結軸を貫通させて配置する識別板３を設け、その識別板３に表示器２からはみ出す露出部３ｂを形成し、露出部３ｂに室内の設備の識別標識を付した。【選択図】図１
2006188893.tif 000002
【特許請求の範囲】
【請求項１】
扉を室内側から施開錠する錠部と、前記扉の施開錠の状態を室外側に表示する表示器とを有し、前記扉または扉枠を貫通する連結軸を介して前記表示器を前記錠部と連結して取り付ける表示器付き扉閉止具において、前記表示器とその表示器を取り付ける扉又は扉枠との間に前記連結軸を貫通させて配置する識別板を設け、その識別板に前記表示器からはみ出す露出部を形成し、その露出部に室内の設備の識別標識を付したことを特徴とする表示器付き扉閉止具。
【請求項２】
前記識別板の表面と裏面とに互いに異なる識別標識を付した請求項１に記載の表示器付き扉閉止具。
【発明の詳細な説明】
【技術分野】
【０００１】
この発明は、施開錠の状態を表示する表示器付きの扉閉止具に関するものである。
【背景技術】
【０００２】
スーパーや病院等の公衆トイレに使用される扉閉止具として、扉の施開錠の状態に対応してトイレが使用中であるか否かを室外側に表示する表示器付きのものが従来から知られている。さらにトイレの扉の中央部に識別プレートを接着して、その識別プレートでトイレの便器が和式であるか洋式であるかを表示している公衆トイレも多い。
【０００３】
しかし、便器の様式を表示するこの識別プレートは、トイレの使用状態を表示する表示器から離れた位置に配置されているので、トイレを利用しようとする人は、互いに離れた位置にある表示器と識別プレートとをそれぞれ確認しなければトイレの使用状態と便器の様式とを共に把握することができず、特にトイレが多数並んでいる大型の公衆トイレではその確認が煩わしい。
【発明の開示】
【発明が解決しようとする課題】
【０００４】
この発明が解決しようとする課題は、扉の施開錠の状態の把握と併せて室内の設備の識別も行なうことができる表示器付き扉閉止具を提供することである。
【課題を解決するための手段】
【０００５】
上記の課題を解決するために、扉を室内側から施開錠する錠部と、前記扉の施開錠の状態を室外側に表示する表示器とを有し、前記扉または扉枠を貫通する連結軸を介して前記表示器を前記錠部と連結して取り付ける表示器付き扉閉止具において、前記表示器とその表示器を取り付ける扉又は扉枠との間に前記連結軸を貫通させて配置する識別板を設け、その識別板に前記表示器からはみ出す露出部を形成し、その露出部に室内の設備の識別標識を付した。
【０００６】
この表示器付き扉閉止具は、前記識別板の表面と裏面とに互いに異なる識別標識を付すとより好ましいものとなる。
【発明の効果】
【０００７】
表示器の位置に識別板を設けたので、表示器と識別板とを一度に確認することが可能であり、扉の施開錠の状態の把握と併せて室内の設備の識別を行なうことができる。
【発明を実施するための最良の形態】
【０００８】
図１に、この発明の表示器付き扉閉止具の実施形態を示す。この扉閉止具は、公衆トイレの扉Ｔをトイレ内側から施開錠するものであり、扉Ｔを施開錠する錠部１と、扉Ｔの施開錠の状態に対応してトイレが使用中であるか否かを表示する表示器２と、トイレの便器が和式であるか洋式であるかを表示する識別板３とからなる。
【０００９】
表示器２は、表示カバー５に覆われた表示体４を有しており、表示体４には、互いに色の異なる使用中表示部４ａおよび不使用表示部４ｂが形成されている。表示カバー５には表示窓５ａが形成されており、この表示窓５ａから表示体４の使用中表示部４ａまたは不使用表示部４ｂが表示される。また表示体４の裏側には、図２に示すように、扉枠Ｗに取り付ける取付けプレート６が設けられている。
【００１０】
図２に示すように、錠部１は扉枠Ｗに取り付けられる固定座７と、固定座７により回転可能に支持される回転座８とを有する。回転座８にはレバー９が取り付けられており、図の位置までレバー９を揺動させてそのレバー９で扉Ｔの開放を阻止できるようになっている。
【００１１】
表示器２の表示体４にはボス４ｃが形成され、このボス４ｃの端面には角穴４ｄが形成されており、角穴４ｄに、錠部１の回転座８の回転中心に設けられた角軸１０がはめ込まれている。そのため回転座８の回転に連動して表示体４が回転し、レバー９が施錠位置にあるときは表示窓５ａから使用中表示部４ａが表示され、レバー９が開錠位置にあるときは表示窓５ａから不使用表示部４ｂが表示される。
【００１２】
また、表示器２の取付けプレート６には、扉枠Ｗに形成された貫通穴Ｋにはまり込む突起１１が取付けプレート６に設けられ、貫通穴Ｋにはまり込んだ突起１１はビス１２を介して固定座７に連結されている。この突起１１とビス１２は、扉枠Ｗを貫通して表示器２と錠部１とを連結する連結軸１３を構成している。
【００１３】
表示器２と扉枠Ｗとの間には識別板３が配置されており、識別板３には、図３に示すように貫通穴３ａが形成されている。この貫通穴３ａは、突起１１とビス１２とで構成される連結軸１３が貫通しており、これにより識別板３が表示器２と扉枠Ｗとの間で保持されるようになっている。図３（ａ）に示すように、識別板３には表示器２からはみ出す露出部３ｂが形成されており、露出部３ｂの表面には便器が和式であることを示す識別マークが付されている。
【００１４】
また露出部３ｂの裏面には、図３（ｂ）に示すように便器が洋式であることを示す識別マークが付されており、裏返して取り付けることにより便器が洋式であることを表示することが可能となっている。このため、便器の取替え工事をおこなって便器の様式を和式から洋式に変更した場合でも、識別板を裏返して取り付けるだけで表示を変えることができ、また、１種類の識別板で２通りの表示ができるので室内設備の種類に対して識別板の種類が少なくて済む。
【００１５】
この表示器付き扉閉止具は、表示器２の位置に識別板３を設けたので、扉Ｔの施開錠の状態を表示する表示器２と便器の様式を表示する識別板３とを一度に確認することが可能であり、扉Ｔの施開錠の状態の把握と併せて便器の様式の識別を行なうことができる。そのためトイレが多数並んでいる大型の公衆トイレでも、各々のトイレの使用状態と便器の様式とを容易に把握することができる。
【００１６】
また、この扉閉止具は、識別板３を取り外して従来の表示器付き扉閉止具として使用することが可能であり、また、既設の従来の表示器付き扉閉止具に識別板３を後付けして形成することも可能である。
【００１７】
識別板３は、たとえばトイレが紳士用であるか婦人用であるかを表示するようにしてもよく、また、その扉がトイレ掃除用具入れの扉であることを表示するようにしてもよく、室内の設備を表示するものであればよい。表示の方法としては、たとえば文字や図形や記号などの識別マークを付す方法や、識別板全体を赤色または青色に着色してその色で表示する方法が挙げられる。
【００１８】
また、識別板３の貫通穴３ａは、たとえば図４に示すように連結軸１３が貫通する範囲をつなげた形状でもよく、連結軸１３を貫通させる形状であればよい。
【００１９】
連結軸１３は、たとえば図５に示すように、扉枠Ｗに形成された貫通穴Ｋにはまり込む突起１５を固定座７に設け、この突起１５と取付けプレート６とをビス１６を介して連結し、この突起１５とビス１６とで構成してもよく、図６に示すように、扉枠Ｗに形成された貫通穴Ｋにはまり込んで取付けプレート６と固定座７とを連結するビス１７で構成してもよい。要するに扉枠を貫通して錠部１と表示器２とを連結できる軸であればよい。
【００２０】
表示器２は、たとえば錠部１の角軸１０の回転運動をラックピニオン機構で直線移動運動に変換して表示体に伝達し、その表示体の使用中表示部または不使用表示部が表示窓から表示される構成にしてもよく、扉Ｔの施開錠の状態を室外側に表示するものであればよい。
【００２１】
錠部１と表示器２は、扉Ｔを貫通する連結軸１３を介して連結して、扉Ｔに取り付けてもよい。
【００２２】
錠部１は、たとえば扉Ｔの室内側に設けられたスライド自在の断面Ｃ形ラッチと、スライドするラッチの直線運動を回転軸の回転運動に変換して表示器２に伝えるラックピニオン機構と、扉枠Ｗに固定されたフランジ付き突部とを有し、そのラッチとフランジ付き突部の係合によって扉Ｔを施錠するものでもよく、扉Ｔの施開錠の操作が表示器２に伝わるものであればよい。
【図面の簡単な説明】
【００２３】
【図１】この発明の表示器付き扉閉止具の実施形態を示す図
【図２】同上の扉閉止具の断面図
【図３】（ａ）は同上の扉閉止具の識別板を表側から見た図であり（ｂ）は同上の扉閉止具の識別板を裏面から見た図
【図４】同上の扉閉止具の識別板の変形例を示す図
【図５】同上の扉閉止具の変形例を示す図
【図６】同上の扉閉止具の他の変形例を示す図
【符号の説明】
【００２４】
１    錠部
２    表示器
３    識別板
４    表示体
１１  突起
１２  ビス
３ｂ  露出部
１３  連結軸
Ｔ    扉
Ｗ    扉枠
【図１】
2006188893.tif 000003
【図２】
2006188893.tif 000004
【図３】
2006188893.tif 000005
【図４】
2006188893.tif 000006
【図５】
2006188893.tif 000007
【図６】
2006188893.tif 000008